(57)【要約】【課題】ドア枠が載置される面が床パンの床面よりも下方に位置していて水が溜り難いドア枠の床パンへの取付構造を提供する。【解決手段】床パン１は、上面が床面２１となる床部２と、床部２の周端縁から外方に連設され上面が床面２１よりも高く形成される被載置部３と、被載置部３の周端縁から上方に突設される起立片４とを備える。ドア枠５は、下枠５１に長手方向に亘って下方に開口する起立片収容溝５３が形成される。起立片収容溝に起立片４が収容されるように下枠５１が被載置部３に載置される。【選択図】図１
2012197564.tif 000002
【特許請求の範囲】
【請求項１】
ドア枠の床パンへの取付構造であって、前記床パンは、上面が床面となる床部と、前記床部の周端縁から外方に連設され上面が前記床面よりも高く形成される被載置部と、前記被載置部の周端縁から上方に突設される起立片とを備え、前記ドア枠は、下枠に長手方向に亘って下方に開口する起立片収容溝が形成され、前記起立片収容溝に前記起立片が収容されるように前記下枠が前記被載置部に載置されることを特徴とするドア枠の床パンへの取付構造。
【発明の詳細な説明】
【技術分野】
【０００１】
本発明は、床パンの周縁にドア枠が載置されてなるドア枠の床パンへの取付構造に関するものである。
【背景技術】
【０００２】
近年、バリアフリー化が促進されており、ユニットバス等のユニットルームにおいてもバリアフリー化が促進されている。ユニットルームは、図２（ａ）に示すように、床パン９１の床面９６の周端縁に起立片９２が設けられ、図示しないが起立片９２の上端部に壁パネルが載設されると共に壁パネルの上端部に天井パネルが載設されて構成される。
【０００３】
ドアが取り付けられるため、図２（ａ）中の破線部で切断されて床パン９１の一部９３が切除され、切欠部が形成される。そして図２（ｂ）に示すように、床パン９１の切欠部が形成された部分に設けられるドア受け部材９４にドア枠９５が載置されて、ドアが取付けられていた（例えば特許文献１参照）。
【０００４】
また、他の従来例として、図３に示すように、床面９６の周端縁にドア載せ部９７が凹設され、このドア載せ部９７の底面にドア枠９５が載置されるものもあった。
【０００５】
これら従来例にあっては、ドア枠９５が載置されるドア受け部材９４の被載置面９８（図２参照）やドア載せ部９７の底面は床面９６よりも下方に位置していて、ドア枠９５が低い位置に取り付けられることで、バリアフリー化に対応するものであった。
【先行技術文献】
【特許文献】
【０００６】
【特許文献１】特開２００５−１４６７９４号公報
【発明の概要】
【発明が解決しようとする課題】
【０００７】
しかしながら、図２に示す従来例にあっては、床パン９１の起立片９２の一部が切除される必要があってこの工程が煩雑であると共に、ドア受け部材９４の被載置面９８が床面９６よりも下方に位置していて、この部分に水が溜り易いものであった。また、図３に示す従来例にあっても、ドア載せ部９７の底面が床面９６よりも下方に位置していて、この部分に水が溜り易いものであった。
【０００８】
本発明は上記従来の問題点に鑑みて発明したものであって、その目的とするところは、ドア枠が載置される面が床パンの床面よりも下方に位置していて水が溜り易い、ということのないドア枠の床パンへの取付構造を提供することを課題とするものである。
【課題を解決するための手段】
【０００９】
上記課題を解決するために、本発明は、ドア枠の床パンへの取付構造であって、前記床パンは、上面が床面となる床部と、前記床部の周端縁から外方に連設され上面が前記床面よりも高く形成される被載置部と、前記被載置部の周端縁から上方に突設される起立片とを備え、前記ドア枠は、下枠に長手方向に亘って下方に開口する起立片収容溝が形成され、前記起立片収容溝に前記起立片が収容されるように前記下枠が前記被載置部に載置されることを特徴とする。
【発明の効果】
【００１０】
本発明にあっては、ドア枠が載置される被載置面が床パンの床面よりも上方に位置していて、被載置面に水が溜り難いものである。
【図面の簡単な説明】
【００１１】
【図１】本発明の一実施形態の要部断面図である。
【図２】従来例の要部断面図である。
【図３】他の従来例の要部断面図である。
【発明を実施するための形態】
【００１２】
以下、本発明の一実施形態について図１に基いて説明する。
【００１３】
ユニットルームは、建物の躯体の壁で囲まれたスペースに床パン１が設置され、この床パン１上に壁パネル（図示せず）が載置されるとともに壁パネル上に天井パネル（図示せず）が載置されて構成される。
【００１４】
床パン１は、上面が床面２１となる床部２と、床部２から外方に連設される被載置部３と、被載置部３から上方に突設される起立片４とを備えている。
【００１５】
床部２は、通常は平面視略矩形状をしているが、特に形状は限定されない。床部２の周端縁からは下方に向けて脚部２２が突設されている。
【００１６】
被載置部３は、床部２の周端縁から外方に連設され、上面が壁パネル又はドア枠５が載置される被載置面３１となるもので、後述する。この被載置面３１は、床部２の床面２１よりも若干高くなるように形成され、床部２からの水が溜り難く抜け易いようになっている。
【００１７】
起立片４は、被載置部３の周端縁から上方に突設されるものであるが、被載置面３１からの高さが、バリアフリー化のため、通常の高さ（２０〜３０ｍｍ程度）よりも短い高さ（５〜１０ｍｍ程度）に形成されている。
【００１８】
ドア枠５は、上枠（図示せず）と下枠５１と左右の縦枠５２とからなる正面視略矩形状をしたもので、別体の上枠、下枠５１、左右の縦枠５２が連結されて組み立てられてもよいし、一体に形成されてもよい。なお、前記左右は、便宜上、浴室内側から見た時の左右とする。
【００１９】
下枠５１は、浴室内側の下面と浴室外側の下面の高さが異なっており、浴室外側の下面の方が浴室内側の下面よりも高い位置になるように形成される。浴室内側の下面には、長手方向（左右方向）に亘って下方に開口する起立片収容溝５３が形成されている。この起立片収容溝５３の深さ（上下長さ）は、起立片４の被載置面３１からの高さと同じかそれよりも若干長く形成されている。そして、下枠５１の低く形成される浴室内側の下面のうち、起立片収容溝５３よりも浴室内側の部分が、床パン１の被載置面３１に載置される床パン載置面５４となる。
【００２０】
また、下枠５１の浴室内側の端部の下面が、床パン１に隣接する床面６（ドア枠５を介してユニットルームと連通する脱衣室等の床面）に載置される隣接床載置面５５となる。下枠５１の隣接床載置面５５となる部分には、上下に貫通する固着具挿通孔５６が形成されている。
【００２１】
床パン１は、その床面２１が、床パン１に隣接する床面６よりも若干低く（１０〜３０ｍｍ程度）位置するように、建物の躯体の床面８に設置される。そして、ドア枠５の起立片収容溝５３に起立片４が収容されるように、床パン載置面５４が床パン１の被載置面３１に載置され、隣接床載置面５５が床パン１に隣接する床面６に載置される。なお、本実施形態では、床パン載置面５４に形成されたリブ５７が床パン１の被載置面３１に載置され、隣接床載置面５５に形成されたリブ５８が床パン１に隣接する床面６に載置されているため、正確には、リブ５７の下面が床パン載置面５４となり、リブ５８の下面が隣接床載置面５５となっている。そして、固着具挿通孔５６を介してビスからなる固着具７が床パン１に隣接する床面６に固着され、ドア枠５が固定される。
【００２２】
本発明においては、被載置面３１が床パン１の床面２１よりも上方に位置していて、床面２１を伝って水が浸入し難いため、被載置面３１に水が溜り難く、また被載置面３１に溜まった水が床面２１側に抜けることができる。
【符号の説明】
【００２３】
１    床パン
２    床部
２１  床面
２２  脚部
３    被載置部
３１  被載置面
４    起立片
５    ドア枠
５１  下枠
５２  縦枠
５３  起立片収容溝
５４  床パン載置面
５５  隣接床載置面
５６  固着具挿通孔
５７  リブ
５８  リブ
６    床パンに隣接する床面
７    固着具
８    躯体の床面
【図１】
2012197564.tif 000003
【図２】
2012197564.tif 000004
【図３】
2012197564.tif 000005